(57)【要約】 【課題】  設計の自由度の向上を図る。【解決手段】  少なくとも一方に開口を有するランプハウジング２とランプハウジングの開口を覆うカバー３とによって構成された灯具外筐４の内部に灯具ユニット６が配置され、灯具ユニットは光源として機能する半導体発光素子１２が搭載されたプリント基板１１を有し、プリント基板は透明材料によって形成されたベース面部１３とベース面部上に形成され半導体発光素子が接続される導電パターン１４とを備えた。これにより半導体発光素子から出射された光がプリント基板を透過することが可能になり、プリント基板の向きを自由に設定することができ、設計の自由度の向上を図ることができる。【選択図】        図１
2013182872.tif 000002
【特許請求の範囲】
【請求項１】
少なくとも一方に開口を有するランプハウジングと前記ランプハウジングの前記開口を覆うカバーとによって構成された灯具外筐の内部に灯具ユニットが配置された車輌用灯具であって、
前記灯具ユニットは光源として機能する半導体発光素子が搭載されたプリント基板を有し、
前記プリント基板は透明材料によって形成されたベース面部と前記ベース面部上に形成され前記半導体発光素子が接続される導電パターンとを備える
ことを特徴とする車輌用灯具。
【請求項２】
光を反射するリフレクターが前記プリント基板を挟んで前記カバーの反対側に配置され、
前記半導体発光素子から出射された光が前記リフレクターで反射されて前記プリント基板及び前記カバーを透過されて外部へ照射されるようにした
ことを特徴とする請求項１に記載の車輌用灯具。
【請求項３】
前記ベース面部の両面にそれぞれ導電パターンが形成され、
前記ベース面部の両面にそれぞれ形成された各導電パターンにそれぞれ前記半導体発光素子が接続された
ことを特徴とする請求項１又は請求項２に記載の車輌用灯具。
【請求項４】
前記プリント基板が絶縁層と前記絶縁層の両面にそれぞれ積層された一対の前記ベース面部とを有し、
前記ベース面部にそれぞれ形成された各導電パターンが対向して位置されると共に前記一対のベース面部の間に前記半導体発光素子が配置され前記半導体発光素子の両面がそれぞれ各導電パターンに接続された
ことを特徴とする請求項１又は請求項２に記載の車輌用灯具。
【請求項５】
前記導電パターンが透明材料によって形成された
ことを特徴とする請求項１、請求項２、請求項３又は請求項４に記載の車輌用灯具。
【請求項６】
前記プリント基板として屈曲性を有するフレキシブルプリント基板が用いられた
ことを特徴とする請求項１、請求項２、請求項３、請求項４又は請求項５に記載の車輌用灯具。
【発明の詳細な説明】
【技術分野】
【０００１】
本発明は車輌用灯具に関する。詳しくは、透明材料によって形成されたベース面部とベース面部上に形成され半導体発光素子が接続される導電パターンとを有するプリント基板を配置して設計の自由度の向上を図る技術分野に関する。
【背景技術】
【０００２】
車輌用灯具には、例えば、カバーとランプハウジングによって構成された灯具外筐の内部に、光源を有する灯具ユニットが配置されたものがある。
【０００３】
このような車輌用灯具には、プリント基板上に光源として半導体発光素子が搭載され、半導体発光素子から出射された光が外部へ照射されるように構成されたものがある（例えば、特許文献１参照）。
【０００４】
プリント基板に光源を搭載することにより、光源とプリント基板によって構成される光源体が薄いため車輌用灯具の小型化を図ることが可能である。
【０００５】
【特許文献１】特開２０１０−１５９１０号公報
【発明の開示】
【発明が解決しようとする課題】
【０００６】
ところが、特許文献１に記載された車輌用灯具においては、半導体発光素子から出射された光がプリント基板によって遮光されない向きで光源体を配置する必要があり、その分、光源体の配置の向きが制限され、設計の自由度が低いと言う問題がある。
【０００７】
そこで、本発明車輌用灯具は、上記した問題点を克服し、設計の自由度の向上を図ることを課題とする。
【課題を解決するための手段】
【０００８】
車輌用灯具は、上記した課題を解決するために、少なくとも一方に開口を有するランプハウジングと前記ランプハウジングの前記開口を覆うカバーとによって構成された灯具外筐の内部に灯具ユニットが配置された車輌用灯具であって、前記灯具ユニットは光源として機能する半導体発光素子が搭載されたプリント基板を有し、前記プリント基板は透明材料によって形成されたベース面部と前記ベース面部上に形成され前記半導体発光素子が接続される導電パターンとを備えるものである。
【０００９】
従って、車輌用灯具にあっては、半導体発光素子から出射された光の少なくとも一部がプリント基板を透過可能とされる。
【発明の効果】
【００１０】
本発明車輌用灯具は、少なくとも一方に開口を有するランプハウジングと前記ランプハウジングの前記開口を覆うカバーとによって構成された灯具外筐の内部に灯具ユニットが配置された車輌用灯具であって、前記灯具ユニットは光源として機能する半導体発光素子が搭載されたプリント基板を有し、前記プリント基板は透明材料によって形成されたベース面部と前記ベース面部上に形成され前記半導体発光素子が接続される導電パターンとを備えることを特徴とする。
【００１１】
従って、半導体発光素子から出射された光がプリント基板を透過することが可能になり、プリント基板の向きを自由に設定することができ、設計の自由度の向上を図ることができる。
【００１２】
請求項２に記載した発明にあっては、光を反射するリフレクターが前記プリント基板を挟んで前記カバーの反対側に配置され、前記半導体発光素子から出射された光が前記リフレクターで反射されて前記プリント基板及び前記カバーを透過されて外部へ照射されるようにしている。
【００１３】
従って、光源体から出射された光をリフレクターで反射させてプリント基板及びカバーを透過させることが可能になり、リフレクターを有効に活用することができると共に出射光量を増やすことができ、設計の自由度の向上を図ることができる。
【００１４】
請求項３に記載した発明にあっては、前記ベース面部の両面にそれぞれ導電パターンが形成され、前記ベース面部の両面にそれぞれ形成された各導電パターンにそれぞれ前記半導体発光素子が接続されている。
【００１５】
従って、薄型化を確保した上で出射光量を増やすことができる。
【００１６】
請求項４に記載した発明にあっては、前記プリント基板が絶縁層と前記絶縁層の両面にそれぞれ積層された一対の前記ベース面部とを有し、前記ベース面部にそれぞれ形成された各導電パターンが対向して位置されると共に前記一対のベース面部の間に前記半導体発光素子が配置され前記半導体発光素子の両面がそれぞれ各導電パターンに接続されている。
【００１７】
従って、半導体発光素子を保護することができる。
【００１８】
請求項５に記載した発明にあっては、前記導電パターンが透明材料によって形成されている。
【００１９】
従って、プリント基板の光の透過率が高くなり、一層の設計の自由度の向上及び外部へ照射される光量の増加を図ることができる。
【００２０】
請求項６に記載した発明にあっては、前記プリント基板として屈曲性を有するフレキシブルプリント基板が用いられている。
【００２１】
従って、プリント基板を曲面上に配置することが可能になり、半導体発光素子の配置の自由度が高くなり、設計の一層の自由度の向上を図ることができる。
【発明を実施するための最良の形態】
【００２２】
以下に、本発明車輌用灯具を実施するための最良の形態について添付図面を参照して説明する。
【００２３】
尚、以下に示す車輌用灯具は、それぞれ車体の左右両端部に取り付けられて配置され、例えば、テールランプやストップランプとして用いられる。尚、以下に示す車輌用灯具はテールランプやストップランプに限られることはなく、例えば、ヘッドランプ、コーナーリングランプ、フォグランプ、ハザードランプ、ターンシグナルランプ、ポジションランプ、クリアランスランプ、バックランプ、テールランプやストップランプ等の複数のランプが組み合わされたコンビネーションランプ等の他の各種のランプであってもよい。
【００２４】
先ず、第１の実施の形態に係る車輌用灯具１について説明する（図１乃至図４参照）。
【００２５】
車輌用灯具１は、図１に示すように、一方に開口された凹部を有するランプハウジング２とランプハウジング２の開口を閉塞するカバー３とを備えている。ランプハウジング２とカバー３によって灯具外筐４が構成され、灯具外筐４の内部空間は灯室５として形成されている。
【００２６】
灯室５には灯具ユニット６が配置されている。灯具ユニット６は、一方に開口されたリフレクター７とリフレクター７の開口を閉塞するインナーレンズ８とインナーレンズ８の外面に取り付けられた光源体９とを有している。
【００２７】
リフレクター７は左右に並ぶ、例えば、二つの反射部１０、１０を有し、反射部１０、１０の内面がそれぞれ反射面１０ａ、１０ａとして形成されている。
【００２８】
インナーレンズ８は、例えば、曲率の緩やかな曲面状に形成されている。インナーレンズ８には、例えば、二つの配置孔８ａ、８ａが形成されている。
【００２９】
光源体９はプリント基板１１とプリント基板１１上に搭載され光源として機能する、例えば、二つの半導体発光素子１２、１２とから成る。半導体発光素子１２としては、例えば、ＬＥＤ（ Light Emitting Diode）が用いられている。
【００３０】
プリント基板１１は屈曲性を有するフレキシブルプリント基板であり、基材として用いられたベース面部１３とベース面部１３上に形成された導電パターン１４とベース面部１３に積層され導電パターン１４を覆うカバー面部１５とを有している（図２参照）。
【００３１】
ベース面部１３は透明な樹脂材料、例えば、ポリエチレンナフタレート（ＰＥＮ）やポリエチレンテレフタレート（ＰＥＴ）等によってシート状に形成されている。
【００３２】
導電パターン１４は、例えば、銅箔等によって極めて幅の細い線状に形成されている。尚、導電パターン１４は、例えば、酸化インジウムにスズを添加した化合物であるＩＴＯ（Indium Tin Oxide）等の透明材料によって形成されていてもよい。
【００３３】
カバー面部１５はベース面部１３と同様の透明材料によってシート状に形成され、カバー面部１５には導電パターン１４に連通された開口部１５ａ、１５ａが形成されている。
【００３４】
カバー面部１５に形成された開口部１５ａ、１５ａにはそれぞれ半導体発光素子１２、１２が配置され、半導体発光素子１２、１２はそれぞれ導電性接着剤等によって導電パターン１４に接続されている。
【００３５】
灯室５には灯具ユニット６の周囲にエクステンション１６が配置され（図１参照）、エクステンション１６によって灯具ユニット６の周囲に存在する構造物が外部から視認できないようにされている。
【００３６】
光源体９はプリント基板１１のカバー面部１５が透明な接着剤等によってインナーレンズ８に貼り付けられ、半導体発光素子１２、１２がそれぞれインナーレンズ８の配置孔８ａ、８ａに配置されている。光源体９は半導体発光素子１２、１２の発光面がそれぞれリフレクター７の反射部１０、１０側を向く状態で配置されている。
【００３７】
灯具ユニット６が設けられた車輌用灯具１において、半導体発光素子１２、１２から出射された光はそれぞれ反射部１０、１０の反射面１０ａ、１０ａで反射され、インナーレンズ８とプリント基板１１とカバー３を順に透過されて外部へ照射される。
【００３８】
以下に、第１の実施の形態に係る車輌用灯具１に配置される灯具ユニットの変形例について説明する（図３及び図４参照）。
【００３９】
尚、以下に示す変形例に係る灯具ユニット６Ａは、上記した灯具ユニット６と比較して、光源体の構成が異なること及びレンズステップが形成された制御用レンズが配置されていることのみが相違するため、灯具ユニット６と比較して異なる部分についてのみ詳細に説明をし、その他の部分については灯具ユニット６における同様の部分に付した符号と同じ符号を付して説明は省略する。
【００４０】
灯具ユニット６Ａは光源体９Ａを有している。
【００４１】
光源体９Ａはプリント基板１１Ａとプリント基板１１Ａの両面側にそれぞれ搭載された、例えば、二つずつの半導体発光素子１２Ｘ、１２Ｘ及び半導体発光素子１２Ｙ、１２Ｙとから成る。
【００４２】
プリント基板１１Ａはベース面部１３とベース面部１３の両面に形成された導電パターン１４、１４とベース面部１３に両側からそれぞれ積層され導電パターン１４、１４をそれぞれ覆うカバー面部１５、１５とを有している（図４参照）。
【００４３】
光源体９Ａは、図３に示すように、プリント基板１１Ａの一方のカバー面部１５が透明な接着剤等によってインナーレンズ８の外面に貼り付けられ、半導体発光素子１２Ｘ、１２Ｘがそれぞれインナーレンズ８の配置孔８ａ、８ａに配置されている。光源体９Ａは半導体発光素子１２Ｘ、１２Ｘの発光面がそれぞれリフレクター７の反射部１０、１０側を向く状態で配置されている。
【００４４】
灯具ユニット６Ａにはカバー３とインナーレンズ８の間に配置された制御用レンズ１７が設けられている。制御用レンズ１７はインナーレンズ８に対向する位置に配置され、それぞれ半導体発光素子１２Ｙ、１２Ｙに対向する部分にレンズステップ１７ａ、１７ａを有している。
【００４５】
尚、灯具ユニット６Ａには制御用レンズ１７が設けられていなくてもよく、この場合にはカバー３にレンズステップ１７ａ、１７ａと同様のレンズステップが形成されていればよい。
【００４６】
灯具ユニット６Ａが設けられた車輌用灯具１において、半導体発光素子１２Ｘ、１２Ｘから出射された光はそれぞれ反射部１０、１０の反射面１０ａ、１０ａで反射され、インナーレンズ８とプリント基板１１Ａと制御用レンズ１７とカバー３を順に透過されて外部へ照射される。尚、制御用レンズ１７が設けられていない場合には、半導体発光素子１２Ｘ、１２Ｘから出射され反射面１０ａ、１０ａで反射された光は、インナーレンズ８とプリント基板１１Ａとカバー３を順に透過されて外部へ照射される。
【００４７】
一方、灯具ユニット６Ａが設けられた車輌用灯具１において、半導体発光素子１２Ｙ、１２Ｙから出射された光はそれぞれ制御用レンズ１７のレンズステップ１７ａ、１７ａによって拡散等の制御が行われカバー３を透過されて外部へ照射される。尚、制御用レンズ１７が設けられていない場合には、半導体発光素子１２Ｙ、１２Ｙから出射された光は、それぞれカバー３の内部に入射されレンズステップによって拡散等の制御が行われて外部へ照射される。
【００４８】
このように両面に半導体発光素子１２Ｘ、１２Ｘ、１２Ｙ、１２Ｙが搭載された光源体９Ａが用いられることにより、光源体９Ａから光を互いに反対方向へ出射させることが可能になり、リフレクター７を有効に活用することができると共に出射光量を増やすことができ、設計の自由度の向上を図ることができる。
【００４９】
また、プリント基板１１Ａは厚み方向における両面にそれぞれ導電パターン１４、１４が形成され、導電パターン１４、１４にそれぞれ半導体発光素子１２Ｘ、１２Ｘと半導体発光素子１２Ｙ、１２Ｙが接続されているため、薄型化を確保した上で出射光量を増やすことができる。
【００５０】
次に、第２の実施の形態に係る車輌用灯具２１について説明する（図５乃至図７参照）。
【００５１】
車輌用灯具２１は、図５に示すように、一方に開口された凹部を有するランプハウジング２２とランプハウジング２２の開口を閉塞するカバー２３とを備えている。ランプハウジング２２とカバー２３によって灯具外筐２４が構成され、灯具外筐２４の内部空間は灯室２５として形成されている。
【００５２】
灯室２５には灯具ユニット２６が配置されている。灯具ユニット２６は、一方に開口されたリフレクター２７とリフレクター２７の開口を閉塞するインナーレンズ２８とインナーレンズ２８の内面に取り付けられた光源体２９とを有している。
【００５３】
リフレクター２７は左右に並ぶ、例えば、二つの反射部３０、３０を有し、反射部３０、３０の内面がそれぞれ反射面３０ａ、３０ａとして形成されている。
【００５４】
インナーレンズ２８は、例えば、平板状に形成されている。インナーレンズ２８には、リフレクター２７が位置する側と反対側の面に、例えば、二つのレンズステップ２８ａ、２８ａが形成されている。
【００５５】
光源体２９はプリント基板３１とプリント基板３１の内部に搭載され光源として機能する、例えば、二つの半導体発光素子３２、３２とから成る。半導体発光素子３２としては、例えば、ＬＥＤが用いられている。
【００５６】
プリント基板３１は、例えば、屈曲性を有するフレキシブルプリント基板であり、基材として用いられ厚み方向において離隔して位置されたベース面部３３、３３とベース面部３３、３３の内面にそれぞれ形成された導電パターン３４、３４とベース面部３３、３３の間に設けられた絶縁層３５とを有している（図６参照）。絶縁層３５は透明な接着剤によって形成されている。
【００５７】
ベース面部３３及び導電パターン３４はそれぞれベース面部１３及び導電パターン１４と同様の材料によって形成されている。
【００５８】
半導体発光素子３２、３２はプリント基板３１の厚み方向において絶縁層３５が存在する位置に配置され、それぞれ両側に位置された導電パターン３４、３４に接続されている。
【００５９】
光源体２９はプリント基板３１の一方のベース面部３３が透明な接着剤等によってインナーレンズ２８に貼り付けられている。光源体２９は半導体発光素子３２、３２の発光面がそれぞれインナーレンズ２８側を向きレンズステップ２８ａ、２８ａに対する位置に配置されている。
【００６０】
灯室２５には灯具ユニット２６の周囲にエクステンション３６が配置され（図５参照）、エクステンション３６によって灯具ユニット２６の周囲に存在する構造物が外部から視認できないようにされている。
【００６１】
リフレクター２７の反射部３０、３０にはそれぞれ光源３７、３７が取り付けられている。光源３７としては、例えば、ＬＥＤが用いられている。尚、光源３７は、ＬＥＤに限られることはなく、放電バルブ、白熱バルブ、ハロゲンバルブ灯の他の種類の光源が用いられていてもよい。
【００６２】
灯具ユニット２６が設けられた車輌用灯具２１において、半導体発光素子３２、３２から出射された光はそれぞれインナーレンズ２８の内部に入射されレンズステップ２８ａ、２８ａによって拡散等の制御が行われカバー３を透過されて外部へ照射される。
【００６３】
また、光源３７、３７から出射された光はそれぞれ反射部３０、３０の反射面３０ａ、３０ａで反射され、プリント基板３１とインナーレンズ２８とカバー２３を順に透過されて外部へ照射される。
【００６４】
このように内部に半導体発光素子３２、３２が配置された光源体２９が用いられることにより、半導体発光素子３２、３２を保護することができる。
【００６５】
また、光源体２９にあっては、ベース面部３３、３３がそれぞれ最も外面側に位置されてカバー面部としても機能するため、ベース面部３３、３３の他にカバー面部を設ける必要がなく、製造の容易化及び薄型化を図ることができる。
【００６６】
以下に、第２の実施の形態に係る車輌用灯具２１に配置される灯具ユニットの変形例について説明する（図７参照）。
【００６７】
尚、以下に示す変形例に係る灯具ユニット２６Ａは、上記した灯具ユニット２６と比較して、光源体が配置される向きが異なること及び光源がリフレクターに取り付けられていないことのみが相違するため、灯具ユニット２６と比較して異なる部分についてのみ詳細に説明をし、その他の部分については灯具ユニット２６における同様の部分に付した符号と同じ符号を付して説明は省略する。
【００６８】
光源体２９はプリント基板３１の他方のベース面部３３が透明な接着剤等によってインナーレンズ２８の内面に貼り付けられている。光源体２９は半導体発光素子３２、３２の発光面がそれぞれリフレクター２７の反射部３０、３０側を向く状態で配置されている。
【００６９】
灯具ユニット２６Ａには光源３７、３７が設けられていない。
【００７０】
灯具ユニット２６Ａが設けられた車輌用灯具２１において、半導体発光素子３２、３２から出射された光はそれぞれそれぞれ反射部３０、３０の反射面３０ａ、３０ａで反射され、プリント基板３１とインナーレンズ２８とカバー２３を順に透過されて外部へ照射される。
【００７１】
尚、灯具ユニット２６Ａにあっては、半導体発光素子３２、３２においてリフレクター２７側と反対側に光が漏れる可能性があり、この光はインナーレンズ２８のレンズステップ２８ａ、２８ａによって拡散等の制御が行われカバー３を透過されて外部へ照射される。
【００７２】
上記のように灯具ユニット２６Ａにあっても灯具ユニット２６と同様に、内部に半導体発光素子３２、３２が配置された光源体２９が用いられているため、半導体発光素子３２、３２を保護することができる。
【００７３】
また、灯具ユニット２６の場合と同様に、光源体２９において、ベース面部３３、３３がそれぞれ最も外面側に位置されてカバー面部としても機能するため、ベース面部３３、３３の他にカバー面部を設ける必要がなく、製造の容易化及び薄型化を図ることができる。
【００７４】
尚、上記には、灯具ユニット６、６Ａ、２６、２６Ａにそれぞれ二つずつの半導体発光素子１２、１２Ｘ、１２Ｙ、３２、反射部１０、３０及びレンズステップ１７ａ、２８ａが設けられた例を示したが、これらの数は二つに限られることはなく、一つ又は三つ以上が設けられていてもよい。
【００７５】
以上に記載した通り、車輌用灯具１にあっては、プリント基板１１、１１Ａ、３１のベース面部１３、３３が透明材料によって形成されている。
【００７６】
従って、半導体発光素子１２、１２Ｘから出射された光がプリント基板１１、１１Ａ、３１を透過することが可能になり、プリント基板１１、１１Ａ、３１の向きを自由に設定することができ、設計の自由度の向上を図ることができる。
【００７７】
また、ベース面部１３、３３が透明材料によって形成されているため、非点灯時においても外部からプリント基板１１、１１Ａ、３１が見え難く、デザイン性の向上を図ることができる。
【００７８】
さらに、導電パターン１４、３４が透明材料によって形成されることにより、プリント基板１１、１１Ａ、３１の光の透過率が高くなり、一層の設計の自由度の向上及び外部へ照射される光量の増加を図ることができる。
【００７９】
加えて、プリント基板１１、１１Ａ、３１としてフレキシブルプリント基板が用いられることにより、例えば、プリント基板１１、１１Ａ、３１を曲面上に配置することも可能であり、半導体発光素子１２、１２Ｘ、１２Ｙの配置の自由度が高くなり、設計の一層の自由度の向上を図ることができる。
【００８０】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００８１】
【図１】図２乃至図４と共に本発明車輌用灯具の第１の実施の形態を示すものであり、本図は、車輌用灯具の概略断面図である。
【図２】光源体の一部を示す拡大断面図である。
【図３】変形例に係る灯具ユニットの概略断面図である。
【図４】変形例に係る灯具ユニットに設けられた光源体の一部を示す拡大断面図である。
【図５】図６及び図７と共に本発明車輌用灯具の第２の実施の形態を示すものであり、本図は、車輌用灯具の概略断面図である。
【図６】光源体の一部を示す拡大断面図である。
【図７】変形例に係る灯具ユニットの概略断面図である。
【符号の説明】
【００８２】
１…車輌用灯具、２…ランプハウジング、３…カバー、４…灯具外筐、６…灯具ユニット、７…リフレクター、１１…プリント基板、１２…半導体発光素子、１３…ベース面部、１４…導電パターン、６Ａ…灯具ユニット、１１Ａ…プリント基板、１２Ｘ…半導体発光素子、１２Ｙ…半導体発光素子、２１…車輌用灯具、２２…ランプハウジング、２３…カバー、２４…灯具外筐、２６…灯具ユニット、２７…リフレクター、３１…プリント基板、３２…半導体発光素子、３３…ベース面部、３４…導電パターン、３５…絶縁層、２６Ａ…灯具ユニット
【図１】
2013182872.tif 000003
【図２】
2013182872.tif 000004
【図３】
2013182872.tif 000005
【図４】
2013182872.tif 000006
【図５】
2013182872.tif 000007
【図６】
2013182872.tif 000008
【図７】
2013182872.tif 000009